(57)【要約】【課題】コストの向上及び通信品質劣化をさせることなく、ＳＡＲを低減させることのできる携帯無線端末装置を提供する。【解決手段】無線回路部と内蔵アンテナ７と入力手段とを備えた携帯電話機１において、前記入力手段の一部が、電磁波を吸収する電磁波吸収体からなる。電磁波吸収体は、下側キーシート１１、下側キーパッドベース１２、下側キーパッドボタン１３の何れか、または、これらの全てに磁性体を混入して形成する。入力手段の一部を、電磁波吸収体とすれば、携帯電話機１から放射された電磁波をこの電磁波吸収体に集中させて吸収させることができ、出力を落とすことなく通信品質を維持したままＳＡＲを低減させることができる。【選択図】  図９
2004304440.tif 000002
【特許請求の範囲】
【請求項１】
少なくとも無線回路部とアンテナと入力手段とを備えた携帯無線端末装置において、
少なくとも前記入力手段の一部が、電磁波を吸収する電磁波吸収体からなる
ことを特徴とする携帯無線端末装置。
【請求項２】
請求項１記載の携帯無線端末装置であって、
前記電磁波吸収体は、前記入力手段を構成する部材に磁性体を混入して形成された
ことを特徴とする携帯無線端末装置。
【請求項３】
請求項２記載の携帯無線端末装置であって、
前記電磁波吸収体とされる前記入力手段の一部が、キースイッチをオン・オフさせるキーシートである
ことを特徴とする携帯無線端末装置。
【請求項４】
請求項２記載の携帯無線端末装置であって、
前記電磁波吸収体とされる前記入力手段の一部が、キーパッドボタンである
ことを特徴とする携帯無線端末装置。
【請求項５】
請求項２記載の携帯無線端末装置であって、
前記電磁波吸収体とされる前記入力手段の一部が、キーパッドボタンの下に配置されたキーパッドベースである
ことを特徴とする携帯無線端末装置。
【請求項６】
請求項２記載の携帯無線端末装置であって、
前記電磁波吸収体とされる前記入力手段の一部が、キーパッドボタン及びこのキーパッドボタンの下に配設されたキーパッドベースである
ことを特徴とする携帯無線端末装置。
【請求項７】
少なくとも無線回路と下端部近傍にアンテナを内蔵した第１の筐体と、
前記第１の筐体に対して水平方向に相対的に回動自在で、前記第１の筐体の上に重ねられた状態と、前記第１の筐体に対して任意の角度に開いた状態とされる第２の筐体と、
前記第１の筐体に設けられ、前記無線回路を含むその他の回路部に指示を与える入力手段とを備え、
少なくとも前記入力手段の一部が、電磁波を吸収する電磁波吸収体からなる
ことを特徴とする携帯無線端末装置。
【請求項８】
請求項７記載の携帯無線端末装置であって、
前記電磁波吸収体は、携帯無線端末上に流れる高周波電流が所定より多く流れる箇所と対応する位置に設けられた
ことを特徴とする携帯無線端末装置。
【発明の詳細な説明】
【０００１】
【発明の属する技術分野】
本発明は、携帯無線端末装置に関し、詳細には、携帯無線端末装置から外部へ放射される電磁波を低減する技術に関する。
【０００２】
【従来の技術】
近年、携帯電話機は、広く普及しており、日常生活の上ではなくてはならない道具の一つになっている。しかし、このような携帯電話機からは、使用時に電磁波が外部へ放射されている。すなわち、携帯電話機には、高周波電波の送受信を行うためのアンテナが設けられているため、このアンテナから電磁波が外部へ放射される。
【０００３】
電磁波の人体への吸収量を示す指標の一つに、人体の特定部分に加えられた電磁波エネルギーの吸収率であるスペシフィック・アブソープション・レイト（Ｓｐｅｃｉｆｉｃ  Ａｂｓｏｒｐｔｉｏｎ  Ｒａｔｅ、局所電磁波吸収率、以下「ＳＡＲ」という）がある。近年、日本国内では、総務省令で携帯電話などの機器に対して「局所ＳＡＲが２Ｗ／Ｋｇ（１０ｇ平均）の許容値を超えないことが義務付けられている。ＳＡＲは、携帯電話機の出力が高くなるほど高く、また、携帯電話機上に流れる高周波電流が所定より多く流れる箇所（以下、ホットスポットという）と人体との間の距離が近いほど高くなる傾向がある。
【０００４】
ホットスポットは、携帯電話機の形状にもよるが、一般的にアンテナの近傍に存在している場合がある。二つの筐体を重ねて折り畳み自在とした、いわゆる二つ折りの携帯電話機では、筐体の中心付近にホットスポットが存在する場合が多い。これは、回路基板上に構成された無線回路部を電気的に遮断するための導電性のシールドケースが当該回路基板上のグランドと導通しているため、アンテナに供給される電力がシールドケースにも励振されて、前記シールドケース及び回路基板がアンテナの一部として動作しているものと考えられる。
【０００５】
このような電磁波の放射を低減するための一つの手法として、携帯電話機の金属筐体外側にフェライトシートを貼ることによって、ＳＡＲを低減させる技術が開示されている（例えば、特許文献１参照）。
【０００６】
【特許文献１】
特開２０００−１０１３３８号公報（第２頁及び第３頁、第１図）
【０００７】
【発明が解決しようとする課題】
しかしながら、携帯電話機は、人体に近づけて使用されることが多く、電磁波エネルギーが人体に吸収されることも想定される。そのため、アンテナの指向性を変化させたり、携帯電話機の出力を減少させるなどの対策が考えられる。しかし、これらの対策では、コストの向上や通信品質の劣化を招くため、根本的な解決策とはなり得ない。
【０００８】
そこで、本発明は、このような課題に鑑みてなされたものであり、コストの向上及び通信品質劣化を招くことなく、ＳＡＲを低減させることのできる携帯無線端末装置を提供することを目的とする。
【０００９】
【課題を解決するための手段】
本発明は、少なくとも無線回路部とアンテナと入力手段とを備えた携帯無線端末装置において、少なくとも入力手段の一部を、電磁波を吸収する電磁波吸収体としている。
【００１０】
電磁波吸収体は、入力手段を構成する部材に磁性体を混入して形成されたものである。磁性体は、高周波磁界を集中させ吸収すると共に面電流の抑制作用がある。
【００１１】
このため、本発明の携帯無線端末装置によれば、入力手段の一部を、電磁波を吸収する電磁波吸収体としているので、電磁波を吸収させるための専用の部品を用意することなく、既存の部材に磁性体を混入するだけで簡単に電磁波吸収体とすることができる。このため、本発明の携帯無線端末装置では、電磁波を効率的に吸収してＳＡＲの低減が図れると共に、電磁波吸収対策のためのコストアップが避けられる。
【００１２】
また、本発明は、少なくとも無線回路と下端部近傍にアンテナを内蔵した第１の筐体と、第１の筐体に対して水平方向に相対的に回動自在で、前記第１の筐体の上に重ねられた状態と、第１の筐体に対して任意の角度に開いた状態とされる第２の筐体と、第１の筐体に設けられ、前記無線回路を含むその他の回路部に指示を与える入力手段とを備えた携帯無線端末装置であって、少なくとも入力手段の一部を、電磁波を吸収する電磁波吸収体としている。
【００１３】
本発明の携帯無線端末装置によれば、水平方向に相対的に回動されて二つの筐体が重ねられた場合、筐体の中心付近にホットスポットが存在するが、このホットスポットと対応する位置に電磁波吸収体が配置されることにより、効果的にこの電磁波吸収体によって電磁波を吸収することができる。
【００１４】
【発明の実施の形態】
以下、本発明を適用した具体的な実施の形態について、図面を参照しながら詳細に説明する。本実施の形態は、本発明を携帯電話機に適用したものである。
【００１５】
［携帯電話機の構成］
本実施の形態の携帯電話機１は、図１から図３に示すように、第１の筐体２と第２の筐体３を有し、これら第１の筐体２と第２の筐体３が、ヒンジ機構部２２を中心として水平方向（面内方向）に相対的に回動自在とされ、該第１の筐体２の上に第２の筐体３が重ねられた状態と、この第１の筐体２に対して第２の筐体３が任意の角度に開いた状態とされる、いわゆる水平方向において回動自在な折り畳み式の携帯電話機である。
【００１６】
第１の筐体２には、無線回路部を含むその他の回路部を構成する下側回路基板４と、電源である電池５と、シールドケース６と、内蔵アンテナ７と、送話器であるマイク（マイクロフォン）８と、無線回路部を含むその他の回路部に指示を与える下側入力手段とが設けられている。
【００１７】
電池５は、第１の筐体２の底部に配置されている。そして、この電池５の上には、下側回路基板４が配置されている。下側回路基板４には、無線回路部を電気的に遮断するための導電性のシールドケース６が設けられている。内蔵アンテナ７は、第２の筐体３と回転可能に取り付けられる上端部とは反対の下端部近傍に配置されている。マイク８は、内蔵アンテナ７とは反対側の上端部近傍の第１の筐体２の側面に配置されている。
【００１８】
下側入力手段は、テンキーによる入力信号のオン・オフを出力するスイッチが設けられた下側キー基板９と、前記スイッチの電極を開放又は短絡するための下側キーシート開放短絡金属板１０と、この下側キーシート開放短絡金属板１０の酸化防止及び絶縁防止用としての下側キーシート１１と、下側キーパッドベース１２と、下側キーパッドボタン１３とを有している。
【００１９】
下側キー基板９は、前記下側回路基板４の上に配置されている。そして、この下側回路基板４上に設けられたそれぞれのスイッチの上には、下側キーシート１１に固定された下側キーシート開放短絡金属板１０が配置されている。この下側キーシート１１の上には、下側キーパッドベース１２と下側キーパッドボタン１３がこの順に配置されている。下側キーパッドベース１２と下側キーパッドボタン１３は、別々に形成されていてもよいが、樹脂成形によって一体的に形成されていてもよい。なお、下側キーパッドボタン１３は、第２の筐体３と重なり合う第１の筐体２の表面２ａにその一部が突出するようになっている。
【００２０】
一方、第２の筐体３には、画像表示装置である液晶表示器１４と、受話器であるスピーカ１５と、上側回路基板１６と、入力指示を与える上側入力手段とが設けられている。
【００２１】
液晶表示器１４は、第２の筐体３のほぼ中央に配置され、その表示画面を第２の筐体３の表面３ａに臨ませている。そして、この液晶表示器１４の上部には、スピーカ１５が配置されている。
【００２２】
上側入力手段は、入力信号のオン・オフを出力するスイッチが設けられた上側キー基板１７と、前記スイッチの電極を開放又は短絡するための上側キーシート開放短絡金属板１８と、この上側キーシート開放短絡金属板１８の酸化防止及び絶縁防止用としての上側キーシート１９と、上側キーパッドベース２０と、上側キーパッドボタン２１とを有している。
【００２３】
上側キー基板１７は、前記上側回路基板１６の上に配置されている。そして、この上側回路基板１６上に設けられたそれぞれのスイッチの上には、上側キーシート１９に固定された上側キーシート開放短絡金属板１８が配置されている。この上側キーシート１９の上には、上側キーパッドベース２０と上側キーパッドボタン２１がこの順に配置されている。同様に、上側キーパッドベース２０と上側キーパッドボタン２１は、別々に形成されていてもよいが、樹脂成形によって一体的に形成されていてもよい。なお、上側キーパッドボタン２１は、第２の筐体３の表面３ａにその一部が突出するように設けられている。
【００２４】
そして特に、この実施の形態の携帯電話機１では、この携帯電話機１から放射される電磁波を吸収してＳＡＲを低減させるために、入力手段の一部を、当該電磁波を吸収する電磁波吸収体としている。電磁波吸収体は、入力手段を構成する部材に所定の配分で磁性体を混入させることにより形成される。
【００２５】
なお、ＳＡＲは、ＳＡＲ測定システムによって測定される。このＳＡＲ測定システムは、主に、人体の脳とほぼ同じ誘電率、導電率に調整された溶液に入ったファントム、ファントム内部に挿入されたＳＡＲを測定する電界プローブ、及び電界プローブを搬送するロボットアームから構成されている。そして、電界プローブがロボットアームによってファントム内を３次元的に移動することで、携帯電話機によるファントム内部での電界が測定され、この値を用いてＳＡＲが求められる。
【００２６】
図４は、下側キーシート１１を電磁波吸収体とした例である。この図４では、従来から使用される下側キーシートを構成する材料（例えば、ポリエステル）に、所定量の磁性体を混合した下側キーシート１１を使用している。
【００２７】
図５は、下側キーパッドボタン１３を電磁波吸収体とした例である。この図５では、同様に従来から使用される下側キーパッドボタンを構成する材料（例えば、アクリル）に、所定量の磁性体を混合した下側キーパッドボタン１３を使用している。
【００２８】
図６は、下側キーパッドベース１２を電磁波吸収体とした例である。この図６では、同様に従来から使用される下側キーパッドベースを構成する材料（例えば、ゴム）に、所定量の磁性体を混合した下側キーパッドベース１２を使用している。
【００２９】
図７は、下側キーパッドベース１２及び下側キーパッドボタン１３の両方を電磁波吸収体とした例である。
【００３０】
図８は、磁性体の透磁率の周波数特性を示すグラフである。ここで、複素透磁率μは、次式（１）で求まる。
【００３１】
複素透磁率μ＝μ’−ｊμ”・・・式（１）
μ’は、実部であり、周波数が高くなると減少する傾向があり、値が大きいほど高周波磁界を集中させることができると考えられる。μ”は、虚部（損失）であり、ある周波数まで増加し、ある周波数を超えると減少する傾向があり、値が大きいほど高周波磁界を吸収することができると考えられる。
【００３２】
従って、本実施の形態では、適当な値の複素透磁率μの磁性体を選び、使用する携帯電話機の周波数で希望する複素透磁率μが得られるように、従来からのキーシート、キーパッドベース及びキーパッドボタンに所定量の磁性体を混入する。例えば、使用する携帯電話機の周波数が９００ＭＨｚのときには、μ’を約０〜１０、μ”を約５〜１５、配合量を約５０％程度とすることが望ましい。配合量約５０％は、強度的な面からの代表値であり、その配合量が５０％を越えて多くなりすぎると磁性体が脆くなる。
【００３３】
このように、使用する携帯電話機の周波数で希望する複素透磁率μが得られるように、従来のキーシート、キーパッドベース及びキーパッドボタンに所定量の磁性体を混入して形成した下側キーシート１１、下側キーパッドベース１２及び下側キーパッドボタン１３を携帯電話機１に使用することによって、当該携帯電話機１から放射される電磁波（高周波磁界）を電磁波吸収体に集中させ吸収することができ、面電流を抑制してＳＡＲを低減させることができる。
【００３４】
図９（ａ）は、従来構造の携帯電話機での磁界分布を示す図であり、図９（ｂ）は、ポリエステルに磁性体を混入して形成した下側キーシート１１を使用した携帯電話機１の磁界分布を示す。図９から判るように、従来の携帯電話機１では、第１の筐体２に設けられた内蔵アンテナ７から放射された電磁波が第１の筐体２にまで及んで放射されているのに対して、本実施の形態の携帯電話機１では、内蔵アンテナ７から放射された電磁波が下側キーシート１１に集中し、この下側キーシート１１によって吸収されていることが判る。そして、この下側キーシート１１に電磁波が吸収されることによって、第２の筐体３への電磁波の放射が抑制されているのが判る。
【００３５】
図１０は、アクリルに磁性体を混入して形成した下側キーパッドボタン１３を使用した携帯電話機１の磁界分布を示す。この携帯電話機１では、内蔵アンテナ７から放射された電磁波が下側キーパッドボタン１３に集中し、この下側キーパッドボタン１３によって吸収されていることが判る。
【００３６】
図１１は、ゴムに磁性体を混入して形成した下側キーパッドベース１２を使用した携帯電話機１の磁界分布を示す。この携帯電話機１では、内蔵アンテナ７から放射された電磁波が下側キーパッドベース１２に集中し、この下側キーパッドベース１２によって吸収されていることが判る。
【００３７】
図１２は、アクリルに磁性体を混入して形成した下側キーパッドボタン１３と、ゴムに磁性体を混入して形成した下側キーパッドベース１２を使用した携帯電話機１の磁界分布を示す。この携帯電話機１では、内蔵アンテナ７から放射された電磁波が下側キーパッドベース１２及び下側キーパッドボタン１３に集中し、これら下側キーパッドベース１２及び下側キーパッドボタン１３によって吸収されていることが判る。
【００３８】
図１３（ａ）は、従来構造の携帯電話機でのＳＡＲ測定結果を示す図であり、図１３（ｂ）は、入力手段の一部を電磁波吸収体とした本実施の形態の携帯電話機１でのＳＡＲ測定結果を示す図である。そして、この測定結果では、前述したＳＡＲ測定システムの結果から、携帯電話機１の前面に対する垂直方向のＳＡＲ最大値をプロットすることにより、ＳＡＲを２次元的に表し、図中では、最大のＳＡＲを１．０とし、その比強度を示している。
【００３９】
また、図１３（ａ），（ｂ）は、何れも携帯電話機１を二つ折りに重ねた（閉じた）状態のときのＳＡＲ測定結果である。また、この携帯電話機は、ポリエステルからなるキーシートに磁性体を混入させてなる下側キーシート１１を使用したものであり、携帯電話機の周波数を９００ＭＨｚ、磁性体の配合量を約５０％、μ’を約６、μ”を約１４とした。
【００４０】
従来構造の携帯電話機では、図１３（ａ）に示すように、ホットスポットのＳＡＲが約１．０であるのに対して、本実施の形態の携帯電話機１では、図１３（ｂ）に示すように、ホットスポットのＳＡＲが０．８以下となっている。また、本実施の形態の携帯電話機１では、磁性体の特徴である高周波磁界を集中させ、吸収させると共に面電流の抑制作用によりＳＡＲが低減することが、この図１３（ｂ）から理解される。
【００４１】
また、本実施の形態の携帯電話機１では、近傍界での電磁界強度は減少されるが、遠方界では非常に微小なエネルギー量であるため、遠方界でのアンテナ効率劣化は非常に微小である。従って、本実施の形態の携帯電話機１によれば、出力を落とすことなく通信品質を維持したままＳＡＲを低減させることができる。
【００４２】
また、本実施の形態の携帯電話機１では、図１３（ｂ）に示すように、ホットスポットが、スピーカ１５が設けられた上端側寄りの中央付近（携帯電話機１の略中央付近）にあるため、この部分に対応して設けられた電磁波吸収体（下側キーシート１１、下側キーパッドベース１２、下側キーパッドボタン１３）によって電磁波を効率良く集中させて吸収することができる。つまり、本実施の形態では、ホットスポット部分に対応した位置に電磁波吸収体を配置しているので、携帯電話機１から放射される電磁波を当該電磁波吸収体に効率良く吸収させることができる。
【００４３】
このように構成された本実施の形態の携帯電話機１は、下側キーシート、下側キーパッドベース又は下側キーパッドボタンなどの入力手段を構成する従来部品に磁性体を混入させることによって電磁波吸収体としているので、電磁波を吸収するための専用部品を用意する必要がなく、簡単な構造でＳＡＲを低減させることができ、しかも携帯電話機１の内部に電磁波吸収体を設けていることから、外観を損なうことなくデザイン性を確保することができる。
【００４４】
なお、上述の実施の形態では、下側に配置される第１の筐体２に内蔵された下側キーシート１１、下側キーパッドベース１２、下側キーパッドボタン１３を電磁波吸収体としたが、これに加えて上側に配置される第２の筐体３に内蔵された上側キーシート１９、上側キーパッドベース２０、上側キーパッドボタン２１を電磁波吸収体としてもよい。
【００４５】
また、上述の実施の形態では、携帯電話機を例に挙げて説明したが、通信機能を持つＰＤＡ（Ｐｅｒｓｏｎａｌ  Ｄｉｇｉｔａｌ  Ａｓｓｉｓｔａｎｔ）などの携帯通信端末装置に本発明を適用しても同様の作用効果がある。
【００４６】
【発明の効果】
本発明の携帯無線端末装置によれば、入力手段の一部を、電磁波を吸収する電磁波吸収体としているので、携帯無線端末装置から放射された電磁波をこの電磁波吸収体に集中させて吸収させることができ、出力を落とすことなく通信品質を維持したままＳＡＲを低減できる。また、本発明によれば、入力手段を電磁波吸収体としているので、従来からの部品に手を加えるだけで利用することができ、コストの低減を図ることができると共に、外観を損なうことなくデザイン性を確保することができる。
【００４７】
また、本発明の携帯無線端末装置によれば、水平方向に相対的に回動されて二つの筐体が重ねられて構成された折り畳み式の携帯無線端末装置において、筐体の中央付近に生じるホットスポットと対応する位置に電磁波吸収体を設けたので、効率良く電磁波をこの電磁波吸収体によって吸収することができる。
【図面の簡単な説明】
【図１】本実施の形態の携帯無線端末装置を開いた状態を示す斜視図である。
【図２】本実施の形態の携帯無線端末装置を閉じた状態を示す斜視図である。
【図３】本実施の形態の携帯無線端末装置における図２のＡ−Ａ線断面図である。
【図４】本実施の形態の携帯無線端末装置において、下側キーシートに磁性体を混入させて形成した電磁波吸収体の斜視図である。
【図５】本実施の形態の携帯無線端末装置において、下側キーパッドボタンに磁性体を混入させて形成した電磁波吸収体の斜視図である。
【図６】本実施の形態の携帯無線端末装置において、下側キーパッドベースに磁性体を混入させて形成した電磁波吸収体の斜視図である。
【図７】本実施の形態の携帯無線端末装置において、下側キーパッドボタン及び下側キーパッドベースに磁性体を混入させて形成した電磁波吸収体の斜視図である。
【図８】磁性体の透磁率の周波数特性を示すグラフである。
【図９】図９（ａ）は、従来構造の携帯電話機での磁界分布を示す図であり、図９（ｂ）は、ポリエステルに磁性体を混入して形成した下側キーシートを使用した携帯電話機の磁界分布を示す。
【図１０】図１０は、アクリルに磁性体を混入して形成した下側キーパッドボタンを使用した携帯電話機の磁界分布を示す。
【図１１】図１１は、ゴムに磁性体を混入して形成した下側キーパッドベースを使用した携帯電話機の磁界分布を示す。
【図１２】図１２は、アクリルに磁性体を混入して形成した下側キーパッドボタンと、ゴムに磁性体を混入して形成した下側キーパッドベースを使用した携帯電話機の磁界分布を示す。
【図１３】図１３（ａ）は、従来構造の携帯電話機でのＳＡＲ測定結果を示す図であり、図１３（ｂ）は、入力手段の一部を電磁波吸収体とした本実施の形態の携帯電話機でのＳＡＲ測定結果を示す図である。
【符号の説明】
１…携帯電話機
２…第１の筐体
３…第２の筐体
４…下側回路基板
６…シールドケース
７…内蔵アンテナ
１０…下側キーシート開放短絡金属板
１１…下側キーシート
１２…下側キーパッドベース
１３…下側キーパッドボタン
１８…上側キーシート開放短絡金属板
１９…上側キーシート
２０…上側キーパッドベース
２１…上側キーパッドボタン
【図１】
2004304440.tif 000003
【図２】
2004304440.tif 000004
【図３】
2004304440.tif 000005
【図４】
2004304440.tif 000006
【図５】
2004304440.tif 000007
【図６】
2004304440.tif 000008
【図７】
2004304440.tif 000009
【図８】
2004304440.tif 000010
【図９】
2004304440.tif 000011
【図１０】
2004304440.tif 000012
【図１１】
2004304440.tif 000013
【図１２】
2004304440.tif 000014
【図１３】
2004304440.tif 000015